(57)【要約】  【課題】ＥＧＲ率の調節に複雑な電子制御を必要としないエンジンのＥＧＲ装置を提供する。  【解決手段】エンジンのＥＧＲ装置において、エンジン放熱部４に感温性変形部品５が取り付けられ、この感温性変形部品５に吸気経路３の吸気絞り弁６が連動連結され、エンジン負荷の減少で、エンジン放熱部４の放熱温度が下降すると、感温性変形部品５が変形し、これに伴う出力部５ａの変位で、吸気絞り弁６の開度が減少し、吸気経路３)へのＥＧＲガス８の吸い込み量が増加して、ＥＧＲ率が増加するように構成されているとともに、エンジン負荷の増加で、エンジン放熱部４の放熱温度が増加し、感温性変形部品５が変形し、これに伴う出力部５ａの変位で、吸気絞り弁６の開度が増加し、吸気経路３へのＥＧＲガス８の吸い込み量が減少して、ＥＧＲ率が減少するように構成されている。【選択図】    図１
2014190171.tif 000002
【特許請求の範囲】
【請求項１】
排気経路(１)がＥＧＲ経路(２)で吸気経路(３)に連通された、エンジンのＥＧＲ装置において、
エンジン放熱部(４)に感温性変形部品(５)が取り付けられ、この感温性変形部品(５)に吸気経路(３)の吸気絞り弁(６)が連動連結され、
エンジン負荷の減少で、エンジン放熱部(４)の放熱温度が下降すると、感温性変形部品(５)が変形し、これに伴う出力部(５ａ)の変位で、吸気絞り弁(６)の開度が減少し、吸気経路(３)へのＥＧＲガス(８)の吸い込み量が増加して、ＥＧＲ率が増加するように構成されているとともに、
エンジン負荷の増加で、エンジン放熱部(４)の放熱温度が上昇すると、感温性変形部品(５)が変形し、これに伴う出力部(５ａ)の変位で、吸気絞り弁(６)の開度が増加し、吸気経路(３)へのＥＧＲガス(８)の吸い込み量が減少して、ＥＧＲ率が減少するように構成されている、ことを特徴とするエンジンのＥＧＲ装置。
【請求項２】
請求項１に記載されたエンジンのＥＧＲ装置において、
感温性変形部品(５)として、ワックスペレット型変形部品(７)が用いられ、このワックスペレット型変形部品(７)は、本体(７ａ)に出力ロッド(７ｂ)が挿入され、本体(７ａ)にワックスペレット(７ｂ)が収容され、ワックスペレット(７ｂ)に出力ロッド(７ｃ)が連結され、
エンジン負荷の減少で、エンジン放熱部(４)の放熱温度が下降すると、ワックスペレット(７ｂ)内のワックス(７ｃ)の液体から固体への相変化で、ワックスペレット型変形部品(７)が縮小変形し、これに伴う本体(７ｂ)への出力ロッド(７ｃ)の引き込み変位で、吸気絞り弁(６)の開度が減少し、吸気経路(３)へのＥＧＲガス(８)の吸い込み量が増加して、ＥＧＲ率が増加するように構成されているとともに、
エンジン負荷の増加で、エンジン放熱部(４)の放熱温度が上昇すると、ワックスペレット(７ｂ)内のワックス(７ｃ)の固体から液体への相変化で、ワックスペレット型変形部品(７)が伸長変形し、これに伴う本体(７ｂ)への出力ロッド(７ｃ)の押し出し変位で、吸気絞り弁(６)の開度が増加し、吸気経路(３)へのＥＧＲガス(８)の吸い込み量が減少して、ＥＧＲ率が減少するように構成されている、ことを特徴とするエンジンのＥＧＲ装置。
【請求項３】
排気経路(１)がＥＧＲ経路(２)で吸気経路(３)に連通された、エンジンのＥＧＲ装置において、
エンジン放熱部(４)に熱電素子デバイス(９)が取り付けられ、この熱電素子デバイス(９)に電動アクチュエータ(１０)が接続され、この電動アクチュエータ(１０)に吸気経路(３)の吸気絞り弁(６)が連動連結され、
エンジン負荷の減少で、エンジン放熱部(４)の放熱温度が下降すると、熱電素子デバイス(９)の発電量が減少し、これに伴う電動アクチュエータ(１０)の出力部(１０ａ)の変位で、吸気絞り弁(６)の開度が減少し、吸気経路(３)へのＥＧＲガス(８)の吸い込み量が増加して、ＥＧＲ率が増加するように構成されているとともに、
エンジン負荷の増加で、エンジン放熱部(４)の放熱温度が上昇すると、熱電素子デバイス(９)の発電量が増加し、これに伴う電動アクチュエータ(１０)の出力部(１０ａ)の変位で、吸気絞り弁(６)の開度が増加し、吸気経路(３)へのＥＧＲガス(８)の吸い込み量が減少して、ＥＧＲ率が減少するように構成されている、ことを特徴とするエンジンのＥＧＲ装置。
【発明の詳細な説明】
【技術分野】
【０００１】
本発明は、エンジンのＥＧＲ装置に関し、詳しくは、ＥＧＲ率の調節に複雑な電子制御を必要としないエンジンのＥＧＲ装置に関する。
【背景技術】
【０００２】
従来、エンジンのＥＧＲ装置として、排気経路がＥＧＲ経路で吸気経路に連通されたものがある(例えば、特許文献１参照)。
【０００３】
この種のＥＧＲ装置によれば、排気の一部がＥＧＲガスとして吸気に還流され、ＮＯＸの発生が抑制される利点がある。
【０００４】
しかし、この従来技術では、エンジン回転数やエンジン負荷を検出し、これらとＥＧＲ率との適正な相関関係を実験的に求めたマップや演算式に基づいて、電子制御装置でエンジン負荷に応じたＥＧＲ率の電子制御がなされているため、問題がある。
【先行技術文献】
【特許文献】
【０００５】
【特許文献１】特開２００５−２７３５１８号公報(図１、図２参照)
【発明の概要】
【発明が解決しようとする課題】
【０００６】
《問題点》  ＥＧＲ率の調節に複雑な電子制御を必要とする。
エンジン回転数やエンジン負荷を検出し、これらとＥＧＲ率との適正な相関関係を実験的に求めたマップや演算式に基づいて、電子制御装置でエンジン負荷に応じたＥＧＲ率の電子制御がなされているため、ＥＧＲ率の調節に複雑な電子制御を必要とする。
【０００７】
本発明の課題は、ＥＧＲ率の調節に複雑な電子制御を必要としないエンジンのＥＧＲ装置を提供することにある。
【課題を解決するための手段】
【０００８】
(請求項１に係る発明)
請求項１に係る発明の発明特定事項は、次の通りである。
図３に例示するように、排気経路(１)がＥＧＲ経路(２)で吸気経路(３)に連通された、エンジンのＥＧＲ装置において、
図３に例示するように、エンジン放熱部(４)に感温性変形部品(５)が取り付けられ、この感温性変形部品(５)に吸気経路(３)の吸気絞り弁(６)が連動連結され、
図１(Ａ)(Ｂ)に例示するように、エンジン負荷の減少で、エンジン放熱部(４)の放熱温度が下降すると、感温性変形部品(５)が変形し、これに伴う出力部(５ａ)の変位で、吸気絞り弁(６)の開度が減少し、吸気経路(３)へのＥＧＲガス(８)の吸い込み量が増加して、ＥＧＲ率が増加するように構成されているとともに、
図１(Ａ)(Ｂ)に例示するように、エンジン負荷の増加で、エンジン放熱部(４)の放熱温度が上昇すると、感温性変形部品(５)が変形し、これに伴う出力部(５ａ)の変位で、吸気絞り弁(６)の開度が増加し、吸気経路(３)へのＥＧＲガス(８)の吸い込み量が減少して、ＥＧＲ率が減少するように構成されている、ことを特徴とするエンジンのＥＧＲ装置。
【０００９】
(請求項３に係る発明)
請求項３に係る発明の発明特定事項は、次の通りである。
図６(Ａ)に例示するように、排気経路(１)がＥＧＲ経路(２)で吸気経路(３)に連通された、エンジンのＥＧＲ装置において、
図６(Ａ)に例示するように、エンジン放熱部(４)に熱電素子デバイス(９)が取り付けられ、この熱電素子デバイス(９)に電動アクチュエータ(１０)が接続され、この電動アクチュエータ(１０)に吸気経路(３)の吸気絞り弁(６)が連動連結され、
図４(Ａ)に例示するように、エンジン負荷の減少で、エンジン放熱部(４)の放熱温度が下降すると、熱電素子デバイス(９)の発電量が減少し、これに伴う電動アクチュエータ(１０)の出力部(１０ａ)の変位で、吸気絞り弁(６)の開度が減少し、吸気経路(３)へのＥＧＲガス(８)の吸い込み量が増加して、ＥＧＲ率が増加するように構成されているとともに、
図４(Ｂ)に例示するように、エンジン負荷の増加で、エンジン放熱部(４)の放熱温度が上昇すると、熱電素子デバイス(９)の発電量が増加し、これに伴う電動アクチュエータ(１０)の出力部(１０ａ)の変位で、吸気絞り弁(６)の開度が増加し、吸気経路(３)へのＥＧＲガス(８)の吸い込み量が減少して、ＥＧＲ率が減少するように構成されている、ことを特徴とするエンジンのＥＧＲ装置。
【発明の効果】
【００１０】
(請求項１に係る発明)
請求項１に係る発明は、次の効果を奏する。
《効果》  ＥＧＲ率の調節に複雑な電子制御を必要としない。
図１(Ａ)(Ｂ)に例示するように、エンジン負荷の増減で、エンジン放熱部(４)の放熱温度が昇降すると、感温性変形部品(５)が変形し、これに伴う出力部(５ａ)の変位で、吸気絞り弁(６)の開度が増減し、吸気経路(３)へのＥＧＲガス(８)の吸い込み量が増減して、ＥＧＲ率が増減するように構成されているので、ＥＧＲ率の調節に複雑な電子制御を必要としない。
【００１１】
《効果》  低負荷運転時には、ＮＯＸの発生を抑制することができる。
図１(Ａ)(Ｂ)に例示するように、エンジン負荷の減少で、エンジン放熱部(４)の放熱温度が下降すると、感温性変形部品(５)が変形し、これに伴う出力部(５ａ)の変位で、吸気絞り弁(６)の開度が減少し、吸気経路(３)へのＥＧＲガス(８)の吸い込み量が増加して、ＥＧＲ率が増加するように構成されているので、低負荷運転時には、ＮＯＸの発生を抑制することができる。
【００１２】
《効果》  高負荷運転時には、ＰＭの発生が抑制される。
図１(Ａ)(Ｂ)に例示するように、エンジン負荷の増加で、エンジン放熱部(４)の放熱温度が上昇すると、感温性変形部品(５)が変形し、これに伴う出力部(５ａ)の変位で、吸気絞り弁(６)の開度が増加し、吸気経路(３)へのＥＧＲガス(８)の吸い込み量が減少して、ＥＧＲ率が減少するように構成されているので、高負荷運転時には、不完全燃焼が抑制され、ＰＭの発生が抑制される。
【００１３】
(請求項２に係る発明)
請求項２に係る発明は、請求項１に係る発明の効果に加え、次の効果を奏する。
《効果》  バッテリや商用電源等の給電装置がない場合でもＥＧＲ率の調節を行うことができる。
図１(Ａ)(Ｂ)に例示するように、エンジン負荷の増減で、エンジン放熱部(４)の放熱温度が昇降すると、ワックスペレット(７ｂ)内のワックス(７ｃ)の液体と固体間の相変化で、ワックスペレット型変形部品(７)が伸縮変形し、これに伴う出力ロッド(７ｃ)の変位で、吸気絞り弁(６)の開度が増減し、吸気経路(３)へのＥＧＲガス(８)の吸い込み量が増減して、ＥＧＲ率が増減するので、バッテリや商用電源等の給電装置がない場合でもＥＧＲ率の調節を行うことができる。
【００１４】
(請求項３に係る発明)
請求項３に係る発明は、次の効果を奏する。
《効果》  ＥＧＲ率の調節に複雑な電子制御を必要としない。
図４(Ａ)(Ｂ)に例示するように、エンジン負荷の増減で、エンジン放熱部(４)の放熱温度が昇降すると、熱電素子デバイス(９)の発電量が増減し、これに伴うアクチュエータ(１０)の出力部(１０ａ)の変位で、吸気絞り弁(６)の開度が増減し、吸気経路(３)へのＥＧＲガス(８)の吸い込み量が増減して、ＥＧＲ率が増減するように構成されているので、ＥＧＲ率の調節に複雑な電子制御を必要としない。
【００１５】
《効果》  低負荷運転時には、ＮＯＸの発生を抑制することができる。
図４(Ａ)(Ｂ)に例示するように、エンジン負荷の減少で、エンジン放熱部(４)の放熱温度が下降すると、熱電素子デバイス(９)の発電量が減少し、これに伴う電動アクチュエータ(１０)の出力部(１０ａ)の変位で、吸気絞り弁(６)の開度が減少し、吸気経路(３)へのＥＧＲガス(８)の吸い込み量が増加して、ＥＧＲ率が増加するように構成されているので、低負荷運転時には、ＮＯＸの発生を抑制することができる。
【００１６】
《効果》  高負荷運転時には、ＰＭの発生が抑制される。
図４(Ｂ)に例示するように、エンジン負荷の増加で、エンジン放熱部(４)の放熱温度が上昇すると、熱電素子デバイス(９)の発電量が増加し、これに伴う電動アクチュエータ(１０)の出力部(１０ａ)の変位で、吸気絞り弁(６)の開度が増加し、吸気経路(３)へのＥＧＲガス(８)の吸い込み量が減少して、ＥＧＲ率が減少するように構成されているので、高負荷運転時には、不完全燃焼が抑制され、ＰＭの発生が抑制される。
【図面の簡単な説明】
【００１７】
【図１】本発明の第１実施形態に係るエンジンのＥＧＲ装置を説明する図で、図１(Ａ)はシリンダヘッド放熱温度低温時の感温性変形部品と吸気絞り弁の状態を示す模式図、図１(Ｂ)はシリンダヘッド放熱温度高温時の感温性変形部品と吸気絞り弁の状態を示す模式図である。
【図２】本発明の第１実施形態に係るエンジンのＥＧＲ装置の制御特性を説明するグラフで、図２(Ａ)はシリンダヘッド放熱温度に対する吸気絞り弁の開度の制御特性、図２(Ｂ)はシリンダヘッド放熱温度に対するＥＧＲ率の制御特性をそれぞれ示している。
【図３】本発明の第１実施形態に係るＥＧＲ装置を備えたエンジンの模式平面図である。
【図４】本発明の第２実施形態に係るエンジンのＥＧＲ装置を説明する図で、図４(Ａ)は排気マニホルド放熱温度低温時の感温性変形部品と吸気絞り弁の状態を示す模式図、図４(Ｂ)は排気マニホルド放熱温度高温時の感温性変形部品と吸気絞り弁の状態を示す模式図である。
【図５】本発明の第２実施形態に係るエンジンのＥＧＲ装置の制御特性を説明するグラフで、図５(Ａ)は排気マニホルド放熱温度に対する吸気絞り弁の開度の制御特性、図５(Ｂ)は排気マニホルド放熱温度に対するＥＧＲ率の制御特性をそれぞれ示している。
【図６】本発明の第２実施形態に係るＥＧＲ装置を備えたエンジンを説明する図で、図６(Ａ)はエンジンの模式平面図、図６(Ｂ)は熱電素子デバイスの横断平面図である。
【発明を実施するための形態】
【００１８】
図１〜図３は本発明の第１実施形態に係るエンジンのＥＧＲ装置を説明する図、図４〜図６は本発明の第２実施形態に係るエンジンのＥＧＲ装置を説明する図であり、各実施形態では、立形の直列多気筒ディーゼルエンジンのＥＧＲ装置について説明する。
【００１９】
まず、第１実施形態について説明する。
図３に示すように、このエンジンの概要は、次の通りである。
このエンジンは立形の直列４気筒エンジンで、シリンダブロック(１１)の上部にシリンダヘッド(１２)が組み付けられ、シリンダヘッド(１２)の横一側に排気マニホルド(１３)が組み付けられ。横他側に吸気マニホルド(１４)が組み付けられている。このエンジンにはＥＧＲ装置が組み付けられている。
【００２０】
ＥＧＲ装置の概要は、次の通りである。
図３に示すように、排気経路(１)がＥＧＲ経路(２)で吸気経路(３)に連通されている。
排気経路(１)は排気マニホルド(１３)、ＥＧＲ経路(２)はＥＧＲ導出パイプ(１５)、吸気経路(３)は吸気マニホルド(１４)である。排気マニホルド(１３)は、４本の排気ブランチ(１３ａ)とクランク軸架設方向に伸びた排気コレクタ(１３ｂ)と排気出口(１３ｃ)とを備えている。吸気マニホルド(１４)は、吸気入口(１４ａ)とクランク軸架設方向に伸びた吸気コレクタ(１４ｂ)と４本の吸気ブランチ(１４ｃ)とを備えている。吸気入口(１４ａ)は吸気コレクタ(１４ｂ)の前端部に設けられている。ＥＧＲ導出パイプ(１５)は金属パイプで、パイプ入口(１５ａ)が排気マニホルド(１３)のコレクタ(１３ｂ)の後端部に接続され、パイプ出口(１５ｂ)が吸気マニホルド(１４)の吸気入口(１４ａ)に接続されている。ＥＧＲ導出パイプ(１５)には多数の放熱フィン(１５ｃ)が設けられている。ＥＧＲ経路(２)にはＥＧＲバルブは設けられておらず、排気経路(１)と吸気経路(３)はＥＧＲ経路(２)で常に連通状態とされ、排気経路(１)と吸気経路(３)の差圧により、吸気経路(３)にＥＧＲガス(８)が吸い込まれる。
【００２１】
図３に示すように、エンジン放熱部(４)に感温性変形部品(５)が取り付けられ、この感温性変形部品(５)に吸気経路(３)の吸気絞り弁(６)が連動連結されている。
図１(Ａ)(Ｂ)に示すように、エンジン負荷の減少で、エンジン放熱部(４)の放熱温度が下降すると、感温性変形部品(５)が変形し、これに伴う出力部(５ａ)の変位で、吸気絞り弁(６)の開度が減少し、吸気経路(３)へのＥＧＲガス(８)の吸い込み量が増加して、ＥＧＲ率が増加するように構成されている。
図１(Ａ)(Ｂ)に示すように、エンジン負荷の増加で、エンジン放熱部(４)の放熱温度が上昇すると、感温性変形部品(５)が変形し、これに伴う出力部(５ａ)の変位で、吸気絞り弁(６)の開度が増加し、吸気経路(３)へのＥＧＲガス(８)の吸い込み量が減少して、ＥＧＲ率が減少するように構成されている。
【００２２】
エンジン放熱部(４)はシリンダヘッド(１２)の壁面である。吸気絞り弁(６)はバタフライ弁であり、吸気マニホルド(１４)の吸気入口(１４ａ)に配置され、その下流側にＥＧＲ導出パイプ(１５)のパイプ出口(１５ｂ)が開口されている。
【００２３】
図１(Ａ)(Ｂ)に示すように、感温性変形部品(５)として、ワックスペレット型変形部品(７)が用いられ、このワックスペレット型変形部品(７)は、本体(７ａ)に出力ロッド(７ｃ)が挿入され、本体(７ａ)にワックスペレット(７ｂ)が収容され、ワックスペレット(７ｂ)に出力ロッド(７ｃ)が連結されている。
図１(Ａ)(Ｂ)に示すように、エンジン負荷の減少で、エンジン放熱部(４)の放熱温度が下降すると、ワックスペレット(７ｂ)内のワックス(７ｄ)の液体から固体への相変化で、ワックスペレット型変形部品(７)が縮小変形し、これに伴う本体(７ａ)への出力ロッド(７ｃ)の引き込み変位で、吸気絞り弁(６)の開度が減少し、吸気経路(３)へのＥＧＲガス(８)の吸い込み量が増加して、ＥＧＲ率が増加するように構成されている。
図１(Ｂ)に示すように、エンジン負荷の増加で、エンジン放熱部(４)の放熱温度が上昇すると、ワックスペレット(７ｂ)内のワックス(７ｄ)の固体から液体への相変化で、ワックスペレット型変形部品(７)が伸長変形し、これに伴う本体(７ａ)への出力ロッド(７ｃ)の押し出し変位で、吸気絞り弁(６)の開度が増加し、吸気経路(３)へのＥＧＲガス(８)の吸い込み量が減少して、ＥＧＲ率が減少するように構成されている。
【００２４】
ワックスペレット型変形部品(７)の具体的構造は、次の通りである。
図１(Ａ)(Ｂ)に示すように、本体(７ａ)の端壁(７ｅ)にスピンドル(７ｆ)が取り付けられ、このスピンドル(７ｆ)がワックスペレット(７ｂ)に差し込まれ、スピンドル(７ｆ)がゴム筒(７ｇ)で取り囲まれ、ゴム筒(７ｇ)がワックス(７ｄ)に取り囲まれている。ワックスペレット(７ｂ)は付勢バネ(７ｈ)の付勢力(７ｉ)で出力ロッド引き込み側に付勢されている。ワックス(７ｄ)の液体から固体への相変化で、図１(Ａ)に示すように、ワックス(７ｄ)の体積は小さくなり、ワックスペレット(７ｂ)は付勢バネ(７ｈ)の付勢力(７ｉ)で出力ロッド引き込み側に位置するが、ワックス(７ｄ)の固体から液体への相変化で、図１(Ｂ)に示すように、ワックス(７ｄ)の体積が増加し、ワックス(７ｄ)でゴム筒(７ｇ)が周囲から圧迫されると、スピンドル(７ｆ)の先端部(７ｊ)とワックスペレット(７ｂ)の前端壁(７ｋ)との間にゴム筒(７ｇ)の圧搾部(７ｍ)が形成され、ワックスペレット(７ｂ)がスピンドル(７ｆ)から抜け出す方向に移動し、ワックスペレット(７ｂ)が出力ロッド押し出し側に位置する。
【００２５】
ＥＧＲ装置の制御特性は、次の通りである。
エンジン負荷の減少で、シリンダヘッド放熱温度が下降すると、図２(Ａ)に示すように、吸気絞り弁(６)の開度が減少し、吸気経路(３)へのＥＧＲガス(８)の吸い込み量が増加して、図２(Ｂ)に示すように、ＥＧＲ率が増加する。
エンジン負荷の増加で、シリンダヘッド放熱温度が上昇すると、図２(Ａ)に示すように、吸気絞り弁(６)の開度が増加し、図２(Ｂ)に示すように、吸気経路(３)へのＥＧＲガス(８)の吸い込み量が減少して、ＥＧＲ率が減少する。
【００２６】
次に、第２実施形態について説明する。
第２実施形態は、次の点を除き、第１実施形態と同一に構成されている。図４(Ａ)(Ｂ)、図６(Ａ)(Ｂ)中、第１実施形態と同一の要素には図１(Ａ)(Ｂ)、図３と同一の符号を付しておく。
図６(Ａ)に示すように、エンジン放熱部(４)に熱電素子デバイス(９)が取り付けられ、この熱電素子デバイス(９)に電動アクチュエータ(１０)が接続され、この電動アクチュエータ(１０)に吸気経路(３)の吸気絞り弁(６)が連動連結されている。
図４(Ａ)(Ｂ)に示すように、エンジン負荷の減少で、エンジン放熱部(４)の放熱温度が下降すると、熱電素子デバイス(９)の発電量が減少し、これに伴う電動アクチュエータ(１０)の出力部(１０ａ)の変位で、吸気絞り弁(６)の開度が減少し、吸気経路(３)へのＥＧＲガス(８)の吸い込み量が増加して、ＥＧＲ率が増加するように構成されている。
図４(Ａ)(Ｂ)に示すように、エンジン負荷の増加で、エンジン放熱部(４)の放熱温度が上昇すると、熱電素子デバイス(９)の発電量が増加し、これに伴う電動アクチュエータ(１０)の出力部(１０ａ)の変位で、吸気絞り弁(６)の開度が増加し、吸気経路(３)へのＥＧＲガス(８)の吸い込み量が減少して、ＥＧＲ率が減少するように構成されている。
【００２７】
各構成要素の内容は、次の通りである。
図６(Ａ)に示すように、エンジン放熱部(４)は排気マニホルド(１３)の排気コレクタ(１３ｂ)の壁面である。熱電素子デバイス(９)はベーゼック素子デバイスである。図４(Ａ)(Ｂ)に示すように、電動アクチュエータ(１０)は電磁ソレノイド(１６)で、本体(１６ａ)に出力ロッド(１６ｂ)が差し込まれ、本体(１６ａ)内で出力ロッド(１６ｂ)が電磁コイル(１６ｃ)に取り囲まれ、出力ロッド(１６ｂ)が付勢バネ(１６ｄ)の付勢力(１６ｅ)で本体(１６ａ)への出力ロッド引き込み方向に付勢されている。熱電素子デバイス(９)の発電量が減少すると、本体(１６ａ)からの出力ロッド(１６ｂ)の押し出し力が低下して、図４(Ａ)に示すように、本体(１６ａ)に出力ロッド(１６ｂ)が引き込まれ、出力ロッド(１６ｂ)の引き込み変位で、吸気絞り弁(６)の開度が減少し、吸気経路(３)へのＥＧＲガス(８)の吸い込み量が増加して、ＥＧＲ率が増加する。熱電素子デバイス(９)の発電量が増加すると、本体(１６ａ)からの出力ロッド(１６ｂ)の押し出し力が増加して、図４(Ｂ)に示すように、本体(１６ａ)から出力ロッド(１６ｂ)が押し出され、出力ロッド(１６ｂ)の押し出し変位で、吸気絞り弁(６)の開度が増加し、吸気経路(３)へのＥＧＲガス(８)の吸い込み量が減少して、ＥＧＲ率が減少する。
【００２８】
図６(Ｂ)に示すように、熱電素子デバイス(９)は、ケース(９ｇ)と、ケース(９ｇ)の開口を塞いで取り付けられた低温側基板(９ａ)と、この低温側基板(９ａ)の内面に沿って設けられた低温側電極(９ｂ)と、ケース(９ｇ)の奥端面に沿って設けられた高温側基板(９ｃ)と、この高温側基板(９ｃ)の表面に沿って設けられた高温側電極(９ｄ)と、この高温側電極(９ｄ)と低温側電極(９ｂ)との間に設けられた熱電素子(９ｅ)とで構成され、ケース(９ｇ)内は不活性ガスで満たされている。この熱電素子デバイス(９)は、高温側電極(９ｄ)寄りのケース奥端壁(９ｆ)をエンジン放熱部(４)に沿って取り付け、低温側電極(９ｂ)寄りの低温側基板(９ａ)をエンジンルーム内に露出させている。熱電素子デバイス(９)では、高温側基板(９ｃ)と低温側基板(９ａ)との温度差で、ベーセック効果によって発電がなされる。
【００２９】
ＥＧＲ装置の制御特性は、第１実施形態と同じである。
エンジン負荷の減少で、排気マニホルド放熱温度が下降すると、図５(Ａ)に示すように、吸気絞り弁(６)の開度が減少し、吸気経路(３)へのＥＧＲガス(８)の吸い込み量が増加して、図５(Ｂ)に示すように、ＥＧＲ率が増加する。
エンジン負荷の増加で、排気マニホルド放熱温度が上昇すると、図５(Ａ)に示すように、吸気絞り弁(６)の開度が増加し、吸気経路(３)へのＥＧＲガス(８)の吸い込み量が減少して、図５(Ｂ)に示すように、ＥＧＲ率が減少する。
【符号の説明】
【００３０】
(１) 排気経路
(２) ＥＧＲ経路
(３) 吸気経路
(４) エンジン放熱部
(５) 感温性変形部品
(５ａ) 出力部
(６) 吸気絞り弁
(７) ワックス内蔵部品
(７ａ) ワックス
(７ｂ) 本体
(７ｃ) 出力ロッド
(８) ＥＧＲガス
(９) 熱電素子デバイス
(１０) 電動アクチュエータ
(１０ａ) 出力部
【図１】
2014190171.tif 000003
【図２】
2014190171.tif 000004
【図３】
2014190171.tif 000005
【図４】
2014190171.tif 000006
【図５】
2014190171.tif 000007
【図６】
2014190171.tif 000008